(57)【要約】【課題】点灯乃至点滅して十分なイルミネーション効果と照明効果を得ることが出来る電飾を内蔵したパイプを提供する。【課題を解決するための手段】  任意の形状の穴を複数箇所開けたパイプ１の中空に、コード３を挿入して配設するとともに、このコード３の途中に多数の発光素子４を配設して相互に接続し、前記発光素子４の点灯乃至点滅をコントローラ５で制御して複数箇所の穴から光を出す構造にした。【選択図】図６
2009212071.tif 000002
【特許請求の範囲】
【請求項１】
任意の形状の穴を複数箇所開けたパイプの中空に、その軸方向に沿いコードを挿入して配設するとともに、このコードの途中に多数の電球乃至発光ダイオード等の発光素子を配設して相互に接続し、前記発光素子の点灯乃至点滅をコントローラで制御して複数箇所の穴から光を出す構造が特徴である。
【請求項２】
請求項１のパイプの内側乃至外側に、透明乃至半透明の穴の開いていないパイプを重ねた構造を特徴とする。
【請求項３】
請求項１、請求項２において、パイプの上部に幟を取り付けられるように幟の乳を掛ける横棒を有することを特徴とする。
【請求項４】
請求項１、請求項２の態様を、道路標識のポールやガードレールのポールに組み込んだ構造が特徴である。
【発明の詳細な説明】
【技術分野】
【０００１】  本発明は、照明と幟用電飾竿に関するものである。
【背景技術】
【０００２】  店舗やイベント会場において、物品を陳列する様々な形状の棚がある。また、家庭においてはデザイン性の高い棚が多種売られている。【０００３】  道路沿いの店舗、例えば飲食店やコンビニエンスストアの店先には、店舗の存在等を告知するための幟を立てている。この幟は、台座に下部を挿入して垂直に立てた幟用竿と、この幟用竿の上部に基端部を挿入して水平に伸ばした水平竿とを、乳と呼ばれる環状小片に挿入して取り付けている。この幟は、なるべく人目につくように形成する必要があるので、デザインに個性を持たせる工夫がなされている。【０００４】  棚においては、複数段の棚板があるものが多く、昼間でも下段の棚板上は上段の棚板の影になり暗くなりがちである。【０００５】  また、幟旗については、昼間は目視できるが夜間暗いところに設置すると目視できない。幟旗を明るくするには照明具の明かりが必要である。【０００６】  道路標識においては様々なものがあるが、ポールが自立しているものが数多く存在する。しかし、人の目線に照明具が付いているものが無いので夜間の道路は足元が暗い。また、ガードレールも同様に照明具が付いておらず、夜間は道路の足元が暗い。
【発明の開示】
【発明が解決しようとする課題】
【０００７】  解決しようとする問題点は、陳列棚の棚板が複数枚あると、物品が上段の棚板の影になり、物品を明るく照らすためにスポットライト等を別途に照明具を取り付けたりするが、その照明具が物品の邪魔になったりして棚が有効に使えない上、発光部の発熱による物品の品質低下や火災の恐れもある点である。【０００８】  また、幟旗は、旗竿に取り付けた幟旗全体を照明具で明るく照らすとはできるが、必要以上な光源による光害が発生する点である。【０００９】  また、夜間の道路において、街路灯は通常電柱か自立ポールに照明具が取り付けられているため、街路灯間の標識用ポールやガードレールの足元は暗くて危険である。場合によっては街路灯や防犯灯が無い道路さえある。
【課題を解決するための手段】
【００１０】  本発明の電飾パイプは、任意の形状の穴を複数箇所開けたパイプの中空に、コードを挿入して配設するとともに、このコードの途中に多数の電球乃至発光ダイオード等の発光素子を配設して相互に接続し、この発光素子の点灯乃至点滅を制御するコントローラで制御して複数箇所の穴から光を出す構造にした。
【発明の効果】
【００１１】  たとえば、棚の骨組みに本態様にすることで物品の邪魔にならずに、発光素子の点灯乃至点滅により昼間でも棚上を明るくすることが出来る。また、骨組みに沿うように本態様を別途取り付けることも容易にできる。本発明の電飾パイプは、特に暗くなるとイルミネーション効果を得ることができるので、必要な明かりを確保する単なるスポットライト等と違い、間接照明や演出照明としての効果も得られる。【００１２】  また、幟用旗竿の竿部分を本態様にすることにより、特に夜間は十分なイルミネーション効果を得ることができ、目視出来ることで電飾看板のような効果も期待できる上、防犯灯としての明かりも得られる。更に、必要以上な光源による光害も抑えられる。【００１３】  更に、ガードレールのポールや標識用ポールを本態様にすることにより、主に夜間の歩行者にとって足元を明るくする照明だけでなく、防犯灯としての明かりも得ると同時に、自動車や二輪車の運転者にポールの存在を発光体の光で知らせ、交通事故抑制効果が期待できる。【００１４】  本発明の電飾パイプは、発光素子の光が電飾パイプの中で発光して、電飾パイプに開けた複数箇所の穴を通過した光が電飾パイプの外に出るので、開口部以外の部分からは光が外に出ない。そこで電飾パイプの表面に明暗ができるので明るい場所でも発光素子の光を目視しやすくなる。その光の柄とも言える光の形を考慮した穴の形や大きさ、開口数により、様々な用途やデザインの光の形を出すことができるので、本発明の電飾パイプをフック等で吊ったり、地面や床に立てたり置いたりすることで様々な使い方ができる。
【発明を実施するための最良の形態】
【００１５】  複数箇所の穴を開けたパイプの中空に、複数の発光素子を挿入して点灯乃至点滅させることにより、パイプ内の発光素子から出る光が、複数箇所の穴からパイプの外部に照射されることで必要な明るさを確保できる。
【実施例１】
【００１６】  図１で詳しく説明すると、パイプ１の表面に複数箇所の穴２を施し、そのパイプの中空に図２のコード３を配設するとともに、このコード３の途中に多数の電球乃至発光ダイオード等の発光素子４を配設して相互に接続し、図１のパイプ１に挿入する。コントローラ５は必ずしも使わなくても良く、またパイプ１の中に納めても良い。例えば、コード３の代わりに通電する基盤を代用してもよい。
【実施例２】
【００１７】  図１では、穴２を例として丸にしたが、任意の形状で出来るので穴２は四角でも三角でもよく、また模様や文字を穴２の形として開けることもできる。更に、発光素子４の色に関しては特に制限はなく、特定の単一色でも良いし、また種々の色を混合したものでも良く、発光素子４の数においても特に制限はない。
【実施例３】
【００１８】  図３のようにパイプ１を断面で示すと、パイプ１の外側に透明乃至半透明の穴の開いていないパイプ６を重ねることで、穴２から埃が侵入することを防ぐと同時に、コード３や発光素子４の電気的部材が万が一漏電した場合に絶縁被服の役目を果たす。この絶縁被服の素材は通電しない材料が望ましい。図３では一例としてパイプ１の外側にパイプ６を重ねたが、パイプ１の内側にパイプ６を重ねてもよい。また、目立たない位置など一部分だけパイプ６にもパイプ１の穴２と重なる穴を開けて、中空内の発光素子４から出た熱を逃がすこともできる。
【実施例４】
【００１９】  図４は、棚７に本態様のパイプ１を骨組みにすることで、物品の邪魔にならないようにして、棚７のスペースを有効に使えるようにする。また、図４の実施例では本態様を横向きにしたが、縦の柱部分の骨組みに組み込んでも良いし、別途取り付けることもできる。また、棚に限らず図５に示すように、手摺８にも本態様の電飾パイプ１が利用できる。
【実施例５】
【００２０】  図６は、本態様の幟用旗竿を示す図であり、従来の幟用旗竿同様に横棒９とパイプ１に幟旗１０の乳１１を通して台座１２にパイプ１の下部を挿入して垂直に立てて使用する。
【実施例６】
【００２１】  図７は、道路標識１３のポールに本態様のパイプ１を組み込んだ姿を示す説明図で、図８は、ガードレール１４のポールに本態様のパイプ１を組み込んだ姿を示す説明図である。
【実施例７】
【００２２】  発光素子４については、既存の電球乃至発光ダイオードを使用する前提で説明しているが、電球乃至発光ダイオード等に代わる発光素子４を用いることもできる。
【実施例８】
【００２３】  電源部や発光素子４については、一般のコンセントからでも電池やバッテリー、ソーラーパネルや風力発電等からでも得られるように、パイプ１の使用目的に応じた発光素子４と発光素子４の数などを設計すれば良い。
【産業上の利用可能性】
【００２４】  本発明は幟を製造販売する産業分野、棚や手摺を製造販売する産業分野、照明器具や防犯灯製造販売する産業分野、ガードレールを製造販売する産業分野、道路標識を製造販売する産業分野、パイプを製造販売する産業分野に利用することが出来る。
【図面の簡単な説明】
【００２５】
【図１】本発明に係る電飾パイプの実施方法を示す正面図である。
【図２】図１のコード３及び発光素子４の部分を抽出して示す拡大図である。
【図３】電飾パイプの断面を示す拡大図である。
【図４】電飾パイプの実施方法を示した説明図である。
【図５】電飾パイプの実施例を示した説明図である。
【図６】電飾パイプの実施例を示した説明図である。
【図７】電飾パイプの実施例を示した説明図である。
【図８】電飾パイプの実施例を示した説明図である。
【符号の説明】
【００２６】  １    パイプ
２    穴
３    コード
４    発光素子
５    コントローラ
６    パイプ
７    棚
８    手摺
９    横棒
１０    幟旗
１１    乳
１２    台座
１３    道路標識
１４    ガードレール
【図１】
2009212071.tif 000003
【図２】
2009212071.tif 000004
【図３】
2009212071.tif 000005
【図４】
2009212071.tif 000006
【図５】
2009212071.tif 000007
【図６】
2009212071.tif 000008
【図７】
2009212071.tif 000009
【図８】
2009212071.tif 000010